(57)【特許請求の範囲】
【請求項１】
便器の排水を排水本管側に流す横引き排水管と、
前記横引き排水管と前記便器を連通する排水接続継手アダプタとを備え、
前記横引き排水管及び排水接続継手アダプタが、横引き排水管内の流水路における軸中心線と、排水接続継手アダプタ内の流水路における軸中心線とが鋭角に交叉するよう接続し、前記排水接続継手アダプタが前記横引き排水管と接続する横引き排水管側端部の外周面周りにリング形状体を備え、
前記排水接続継手アダプタは、流水路が前記横引き排水管の側に凸に湾曲し、前記横引き排水管側端部と前記横引き排水管との接続部の高さ位置が調整自在に、便器側端部が便器に、前記横引き排水管側端部のリング形状体が前記横引き排水管の排水接続継手アダプタ取付口に、それぞれ嵌合接続される
排水管の接続構造。
【請求項２】
前記排水接続継手アダプタは、その上流側から下流側に行くに連れて、その穴形状が、横断面で円形から漸次縦長の楕円形に変化すると共に、前記排水接続継手アダプタの上流側は、横引き排水管よりも高い位置にあることを特徴とする請求項１に記載の排水管の接続構造。
【発明の詳細な説明】
【技術分野】
【０００１】
本発明は排水管の接続構造に関する。
【背景技術】
【０００２】
便器１の本体１０に水を供給する管である給水管２は、便器本体１０にその後部上方で接続されている（図５参照）。そして、給水管２の途中には、フラッシュバルブ３が備えられている（図５参照）。
【０００３】
ここで、本明細書における前後とは、便器を使用するにあたり、トイレ使用者が図示しない便座に普通に着座した状態での前をいい、その反対側を後という。また、トイレ使用者が前を向いた状態で左右の側をそれぞれ左及び右という。同じく着座した状態で上下の側をそれぞれ上及び下という。
【０００４】
トイレ使用者がフラッシュバルブ３の操作をすることにより、流水によって流される便は、便器後方に位置する排水接続継手アダプタ４を経由して、横引き排水管５に至る。横引き排水管５に至った排水は、その後、上下に延びる縦管や、排水本管（いずれも図示せず）経由で最終的に屎尿処理場に案内され、そこで処理される。
【０００５】
ところで、一体成形されたこれまでの排水接続継手アダプタ４と横引き排水管５とは、図６に示すように横引き排水管５の軸中心線ｃ５に対して排水接続継手アダプタ４の軸中心線ｃ４が直交する状態で接続されていた。
【０００６】
このため、排水接続継手アダプタ４から横引き排水管５に流出した排水Ａは、その勢いに応じて、横引き排水管５のうち、排水接続継手アダプタ４の開口４ａ（図６参照）と対向する壁面である側面又は底面５１（図６参照）に当たる。その結果、図６中の矢印Ａ１及びＡ２で示す排水のように、排水が横引き排水管５の上流側及び下流側に分岐してしまう場合がある（排水接続継手アダプタ４から横引き排水管５に流入した排水の一部が一旦横引き排水管５内で逆流してしまう場合がある）。
【０００７】
そして、横引き排水管５における上流側からの排水Ａ３の流れが、前記上流側に分岐して流れる排水接続継手アダプタ４の排水Ａ１によってせき止められてしまい、横引き排水管５における排水のスムースな流れの妨げになっていた。
【先行技術文献】
【特許文献】
【０００８】
【特許文献１】特開２００２−１５５５５７公報
【発明の概要】
【発明が解決しようとする課題】
【０００９】
本発明は、上記事情に鑑みてなされたものであり、公衆トイレなど便器が横引き排水管に沿って複数設置されている場合において、横引き排水管における排水のスムースな流れを確保することを技術的課題とする。
【課題を解決するための手段】
【００１０】
そこで、本発明は次の手段を採用した。
すなわち、本発明は、便器の排水を排水本管側に流す横引き排水管と、前記横引き排水管と前記便器を連通する排水接続継手アダプタとを備え、前記横引き排水管及び排水接続
継手アダプタは、横引き排水管内の流水路における軸中心線と、排水接続継手アダプタ内の流水路における軸中心線とが鋭角に交叉するよう接続している排水管の接続構造である。
【００１１】
また、前記排水接続継手アダプタの流水路は、前記横引き排水管の側に凸に湾曲していることを特徴とする。
【００１２】
前記排水接続継手アダプタは、その上流側から下流側に行くに連れて、その穴形状が、横断面で円形から漸次縦長の楕円形に変化すると共に、前記排水接続継手アダプタの上流側は、横引き排水管よりも高い位置にあることを特徴とする。
【００１３】
前記横引き排水管を構成する部材の一部である所定幅の管路と前記排水接続継手アダプタとが一体形成され、当該一体形成物が、前記横引き排水管を構成する部材の一部として、横引き排水管に対して着脱自在にされていることを特徴とする。
【００１４】
前記一体形成物は、横引き排水管を構成する部材である所定幅の管路として、前記横引き排水管の前記軸中心線周りに回動可能に接続されていることを特徴とする。
【発明の効果】
【００１５】
本発明によれば、公衆トイレなど便器が横引き排水管に沿って複数設置されている場合において、横引き排水管における排水がスムースに行われる。
【図面の簡単な説明】
【００１６】
【図１】本発明に係る排水管の接続構造を水洗式便器に適用した場合の一部省略部分水平断面図である。
【図２】図１における縦断面図である。
【図３】図１の要部拡大図である。
【図４】図２の要部拡大図である。
【図５】従来技術を説明するための便器の一部省略側面図である。
【図６】従来技術の問題点を説明するための図である。
【発明を実施するための形態】
【００１７】
以下、この発明を実施するための形態（以下、実施形態）を実施例に基づいて例示的に説明する。但し、この実施例に記載されている構成部品の寸法、材質、形状その相対配置などは、特に特定的に記載がない限りは、この発明の範囲をそれらに限定する趣旨ではない。
【００１８】
図１に示す水洗式便器（以下、便器）１は、周知の如く、水を溜めて水流を生じさせるためのタンク（水槽）が無い、いわゆるフラッシュバルブ方式でかつサイホン現象により便器内の汚物を吸い込んで排水管に排出する便器である。なお、この実施例では、便器本体１０に付属している便座蓋等は省略してある。
【００１９】
便器１は、公衆トイレなどの床面又は壁面に図示しないボルトキャップにより固定される。ボルトキャップとは、ボルト頭にキャップが被されてなる取り付けボルトである。また、便器本体１０は、給水管２を有する（図１、２参照）。給水管２は、便を受けるボール部１１（図２参照）に対して、水の流れの上流側で接続されている。
【００２０】
また、便器１は、図１及び２に示すように、便器内に設けられ公衆トイレなどの壁面内に埋設される横引き排水管５と前記ボール部１１とをつなぐ排水トラップ８、便器外に設けられ前記排水トラップ８と前記横引き排水管５とをつなぐ排水接続継手アダプタ４１を
有する。排水接続継手アダプタ４１としては、例えば塩ビの成形品が挙げられる。
【００２１】
給水管２は、図示しない水道本管から引き込まれた管であり、便器本体１０の後部上方で接続されて便器本体１０に水道水（以下、洗浄水）を送る。そして、給水管２の途中には、水洗便器の洗浄水を吐出するための弁であり、弁の操作により一定時間において一定数量の洗浄水を流し給水を自動的に止めるフラッシュバルブ３が備えられている（図２参照）。フラッシュバルブ３は、排水ボタンや排水ハンドル又はセンサーをトイレ使用者が操作することで作動する。
【００２２】
横引き排水管５（図１、２参照）は、ボール部１１に溜まった便を敷地外に排出するための管である（図では横引き排水管５のうち便器１との接続箇所を示す。換言すると、横引き排水管５を構成する部材の一部である所定幅の管路を示す。）。そして、横引き排水管５は、その流水路５ａに流入した便を流し易くすることができるように横引き排水管５に正対した状態（トイレ内で後方を見た状態）で、左上から右下に掛けて勾配が付けられている。図２ではＳ１が横引き排水管５の上流側端面を示し、Ｓ２が横引き排水管５の長手方向における中央部分の断面を示す。Ｓ１とＳ２とではＳ１の方が位置が高く、Ｓ２の方が位置が低い。またＳ１は向こう側にあるのに対し、Ｓ２は手前側にある。このことより横引き排水管５には、図２の向こう側から手前側に下り傾斜した勾配がついていることがわかる。勾配は１／１００〜３／１００である。
なお、横引き排水管５における上流側と下流側は図１及び図３にも示す。
【００２３】
但し、横引き排水管５の延びる側に便器が連装して設けられる場合、横引き排水管５が、複数の便器によってその設置が制約されるため、前記勾配をつける作業が難しくなる。このため、横引き排水管５の勾配は、緩やかな方がその設置作業はし易いといえる。しかしながら、勾配が緩やかであると、今度は排水の流れが不十分になる虞がある。
【００２４】
また、横引き排水管５のうち、排水接続継手アダプタ４１と接続されている箇所を排水接続継手アダプタ取付口５２という（図４参照）。当該排水接続継手アダプタ取付口５２に、排水接続継手アダプタ４１の下流側端である一端４１１（図４参照）が嵌合される。
【００２５】
排水トラップ８は、図２で示す縦断面で見た形状で上側が凸状となるように湾曲している。当該凸の程度は、便器１がサイホン現象を実現するに十分な封水深を確保できる程度のものである。
【００２６】
なお、図１及び図２からわかるように、便器本体１０のうち給水管２と接続する部位を給水管接続部６という。給水管接続部６を便器本体１０における水の流れの始点とする。つまり、給水管接続部６は、トイレ使用者が前記排水ボタンや排水ハンドルを操作することでフラッシュバルブ３が作動することにより、給水管２を経由して、水道本管（図示せず）から便器１に向けて最初に洗浄水が入る部位である。
【００２７】
そして、図２に示すように、便器本体１０において、前記給水管接続部６の下方に形成されかつ排水接続継手アダプタ４１と接続する部位を排水管接続部７という。排水管接続部７は、便器本体１０において便が洗浄水によって流される終点である。
【００２８】
排水管接続部７は両端開口の筒状体であり、便器本体１０の後面から後方に突出している（図２参照）。この排水管接続部７に、排水接続継手アダプタ４１の上流側端である他端部４１３が外嵌される（図１〜４参照）。当該他端部４１３は、排水管接続部７に外嵌されるようになっており、その端面の内周形状は円形をしている。また、排水管接続部７の外周面には、シールリング６１が取り付けられており、排水管接続部７と排水接続継手アダプタ４１との嵌合箇所をシールする（図４参照）。
【００２９】
次に排水接続継手アダプタ４１の説明をする。既述のように、排水接続継手アダプタ４１は、その流水路４１０（図３、４参照）における上流側端である他端部４１３が便器本体１０の排水管接続部７と接続されている（図１〜４参照）。一方、排水接続継手アダプタ４１の下流側端である一端４１１は、横引き排水管５の排水接続継手アダプタ取付口５２と接続されている（図４参照）。排水接続継手アダプタ４１を横引き排水管５に設けるにあたり、横引き排水管５のうち、排水接続継手アダプタ取付口５２の設置箇所に対応する箇所には、当該箇所の周囲に巻着され、かつ排水接続継手アダプタ取付口５２と一体化された金属ベルト５３が、横引き排水管５の横断面でほぼ１／２ほど巻着されておりかつ横倒しのＵ字形のごとき形状をしている（図２参照）。金属ベルト５３は、横引き排水管５と、排水接続継手アダプタとを接続する接続部として機能する。これにより、横引き排水管５を構成する部材の一部である所定幅の管路と前記排水接続継手アダプタ４１とが一体形成され、当該一体形成物が、前記横引き排水管５を構成する部材の一部として、横引き排水管５に対して着脱自在にされている。
【００３０】
前記一体形成物は、横引き排水管５を構成する部材である所定幅の管路として、前記横引き排水管５の前記軸中心線ｃ５周りに回動可能に接続されている。
なお、横引き排水管５のうち接続部に接続される管は図示を省略してある。
そして、金属ベルト５３は、横引き排水管５に対して、その軸中心線ｃ５周りの回動を固定する。なお、金属ベルト５３は金属に限らない。硬質ゴムでもよい。
【００３１】
また、排水接続継手アダプタ４１は、上流側端である他端部４１３の端面の内壁の形状が円形をしている。そして、下流側端である一端４１１の内壁の形状が縦長の楕円形状をしている（図４の符号Ｓ参照）。さらに、上流側端である他端部４１３及び下流側端である一端４１１の間の部位は、当該部位における内壁の横断面形状が、円形から楕円に漸次変化する形状をしている。
【００３２】
さらに、図１より、排水接続継手アダプタ４１及び横引き排水管５を水平断面で見た場合において、排水接続継手アダプタ４１は、その軸中心線ｃ４１が、横引き排水管５の軸中心線ｃ５の上流方向に対して所定の角度θを持って交叉するものであることがわかる。本実施例では、角度θは鋭角であり、例示的に０°〜９０°の角度をもって、排水接続継手アダプタ４１が、横引き排水管５に接続される。すなわち、排水接続継手アダプタ４１は横引き排水管５の下流側に向かう水流に対して鋭角で流入する。さらに排水接続継手アダプタ４１は、横引き排水管５側に凸にかつ湾曲されたものを示す。但し、角度θは、これらの範囲に限られるものではない。
【００３３】
排水接続継手アダプタ４１を水平断面（図１、図３参照）でみた場合の排水接続継手アダプタ４１の壁面は、使用者が便器１に座して右側すなわち図１に正対して上側の壁（外縁）４１ａと、同じく左側すなわち下側の壁（内縁）４１ｂとで、曲率半径ｒ１、ｒ２が相違するものの曲率中心Ｃが同じになるように湾曲してある（図３参照）。また、排水接続継手アダプタ４１は、水平断面で見たときの前記上側の壁４１ａが、下側の壁４１ｂよりも前記横引き排水管５の上流側に位置する状態で、前記横引き排水管５に接続される。そして、排水接続継手アダプタ４１は横引き排水管５の側に凸に湾曲している。換言すると、排水接続継手アダプタ４１の流水路は、当該排水接続継手アダプタ４１から前記横引き排水管５を見た場合の反対方向に曲率中心が位置するよう湾曲している。なお、垂直断面（図２、４参照）については、そのようにはなっていなくてもよい。垂直断面の形状については、落差による水の勢いを増すことのみを考慮すればよいからである。但し、両方、湾曲していてもよい。
【００３４】
また、排水接続継手アダプタ４１の下流側端である一端４１１の外周面周りには、前方
に突出した先端部であるリング形状体４１２が形成されている（図３、４参照）。リング形状体４１２の外周面にも、シールリング６３が取り付けられており（図３、４参照）、横引き排水管５の前記排水接続継手アダプタ取付口５２と排水接続継手アダプタ４１との嵌合箇所をシールする（図３、４参照）。当該嵌合状態を確保するため、排水接続継手アダプタ取付口５２は、リング形状体４１２に外嵌される外嵌リング４１６が前方に突出した状態で形成されている（図３、４参照）。
【００３５】
さらに、図２及び４に示すように、便器１を左側面から見たときに、排水接続継手アダプタ４１の上流側端である他端部４１３が、横引き排水管５よりも上位に位置している。よって、便器１と横引き排水管５との間には落差を生じる。
【００３６】
このため、給水管２から便器１のボール部１１及び排水トラップ８を経由して、排水管接続部７に至った排水Ａ（図２参照）は、前記落差により、前記落差が無い状態で、排水接続継手アダプタ４１と横引き排水管５とを接続した場合に比べ、勢いがついた状態で排水接続継手アダプタ４１を流れる。
【００３７】
排水接続継手アダプタ４１を経由した排水は、横引き排水管５に至り、横引き排水管５に案内された排水は、その後、横引き排水管５よりも下流の排水管であって、上下に延びる縦管や排水本管（いずれも図示せず）を経由して、最終的に屎尿処理場に案内され、そこで処理される。
以上の構成において、排水接続継手アダプタ４１と横引き排水管５との接続構造を本発明に係る排水管の接続構造という。
【００３８】
次にこのような構成の排水管の接続構造の作用効果を説明する。
本発明では、便器１を平面で見たときに、排水接続継手アダプタ４１が、横引き排水管５の軸中心線ｃ５に対し、前記横引き排水管５の上流側から下流側に向けて鋭角θで軸中心線ｃ４１が交叉する。また、排水接続継手アダプタ４１は、水平断面で見たときの内縁である下側の壁４１ｂと外縁である上側の壁４１ａとが同一の曲率中心を有する状態で湾曲されている。そして、前記上側の壁４１ａが、前記下側の壁４１ｂよりも前記横引き排水管５の上流側に位置する状態で、前記横引き排水管５に前記排水接続継手アダプタ４１が接続される（図１、３参照）。また、便器１を側面から見たときに、便器１の排水管接続部７と横引き排水管５との間には落差が生じるように配置されている（図２、４参照）。
【００３９】
このため、排水接続継手アダプタ４１を流れる排水は、横引き排水管５に至ると、横引き排水管５における排水の下流に向けた流れと同様、下流に向けて流れ、かつその流れは前記落差に起因する勢いを持った流れになる。よって、当該排水は、横引き排水管５の上流側に向けて流れにくくなる（図１の矢印Ａ１参照）。
【００４０】
したがって、排水接続継手アダプタ４１から横引き排水管５に流出した排水は、横引き排水管５のうち、排水接続継手アダプタ４１の出口と対向する壁面５１に直交した状態で当たりにくくなる。つまり、排水接続継手アダプタ４１からの排水が、横引き排水管５に流出したときに、壁面５１にその正面から当たることに起因して、横引き排水管５の上流側と下流側とに排水が分岐してしまうことが起こりにくい。
【００４１】
その結果、横引き排水管５における上流側からの排水の流れが、排水接続継手アダプタ４１の排水によってせき止められてしまうことが抑制される。したがって、横引き排水管５における排水のスムースな流れを確保し易くなる。また、排水がスムースに流れるので便やトイレットペーパーによる詰まりが生じ難い。
【００４２】
そして、排水接続継手アダプタ４１は、上流側から下流側に行くに連れて、横断面が、円形から縦長の楕円に変化する。よって、排水接続継手アダプタ４１が円筒の場合に比べ、排水は、排水接続継手アダプタ４１内を下流に向けて進行するほど、排水接続継手アダプタ４１の水深が深くなる。言い換えると、排水接続継手アダプタ４１は、その下流ほど排水の水嵩が増える。水嵩が増すことで水深が深くなれば、汚物が洗浄水に浮遊し易くなる。よって、汚物が下流に向けて流れ易くなる。また、下流ほど流れも速くなる。
【００４３】
ところで、横引き排水管５は、ボール部１１に溜まった便を敷地外に排出する管であり、その上流側と下流側とで勾配は、既述のように、１／１００〜３／１００とされている。また、横引き排水管５は、家屋の壁内に配管される場合が多いが、横引き排水管５に前記勾配を付けた状態で壁内配管をする作業は面倒である。しかも、複数の便器を横引き排水管５の延びる側に連装して設ける場合、便器の数が多い程作業に手間が掛かる。
【００４４】
しかしながら、本願発明に係る排水管の接続構造によれば、排水接続継手アダプタ４１は、その上流側端である他端部４１３の穴形状は円形であるが、下流側端である一端４１１の穴形状は縦長の楕円形状になるように漸次変化する。よって、排水接続継手アダプタ４１が横引き排水管５と交差する縦長楕円の端面に至るまでの間いおいて、排水接続継手アダプタ４を流れる排水の水嵩は次第に増える。また、便器１を横から見たときに、便器本体１０において便が洗浄水によって流される終点である排水管接続部７と横引き排水管５の排水接続継手アダプタ取付口５２との間には落差を生じる。
【００４５】
このため、排水接続継手アダプタ４１内においては、次第に水嵩が増えかつ洗浄水の流れに勢いがつくので、横引き排水管５の勾配が小さくても、排水をより遠くの下流にまで搬送することができる。よって、横引き排水管５の設置作業にあたり、横引き排水管５につける傾斜角度は小さくても済む。この結果、横引き排水管５の設置作業が比較的簡単になる。
【００４６】
また、排水接続継手アダプタ４１は、その上流側から下流側に行くに連れて、横断面が、円形から漸次縦長の楕円形に変化する。換言すると、排水接続継手アダプタ４１は、下流側にいくに連れて、その横断面が巾狭になる。よって、横断面が一律に円形をした排水接続継手アダプタに比べ、排水接続継手アダプタ４１は、先に行くほど、つまり下流側に行くほど縦長楕円になるので、それだけ横に曲げ易くなる。
【００４７】
そして、既述のように、排水接続継手アダプタ４１は、横引き排水管５の軸中心線ｃ５周りに回動可能な金属ベルト５３の排水接続継手アダプタ取付口５２（金属ベルト５３の先端部）に嵌合されている（図２参照）。よって、金属ベルト５３の回動に併せて排水接続継手アダプタ４１も回動する（図２の矢印Ａ４参照）。従って、横引き排水管５のうち排水接続継手アダプタ４１と接続されている箇所である排水接続継手アダプタ取付口５２と、排水接続継手アダプタ４１の上流側端である他端部４１３とは、その高さ位置を変化させることができる。よって、勾配がついた横引き排水管５の延びる側に便器が連装して設けられる場合でも、排水接続継手アダプタ４１を横引き排水管５に接続し易い。このため、排水接続継手アダプタ４１を所望の曲率で曲げやすいので作業効率を高められる。
【００４８】
一方、便器１は隔壁によって四方が囲われており、かつ便器が横引き排水管５の長手方向に連装する場合を考慮すると、便器の設置巾は自ずと制限を受ける。一般的には、横幅は９００ｍｍ位しか取ることができない。しかしながら本発明に係る排水接続継手アダプタ４１によれば、既述のように、先に行くほど縦長楕円になるので、それだけ横に曲げ易くなる。また、横引き排水管５に対して排水接続継手アダプタ４１を取付易い。よって、９００ｍｍ程度の狭い空間でも、さらにはこれよりも狭い場合であっても排水接続継手アダプタ４１を横引き排水管５に取り付けるのに制約を受けにくい。
【００４９】
なお、本発明は、上述の図示例にのみ限定されるものではなく、本発明の要旨を逸脱しない範囲内において種々変更を加え得ることは勿論である。
例えば、本実施例では、男女兼用の便器に適用した場合を例示したが、男性用の小便器に適用することもできる。
【００５０】
また、排水接続継手アダプタ４１を水平断面（図１、図３参照）でみた場合の排水接続継手アダプタ４１の壁面は、使用者が便器１に座して右側すなわち図１に正対して上側の壁（外縁）４１ａと、同じく左側すなわち下側の壁（内縁）４１ｂとで、曲率半径ｒ１、ｒ２が相違するものの曲率中心Ｃが同じになるように湾曲してあるものを示したが、曲率中心Ｃが違うものでもよい。
【符号の説明】
【００５１】
１ 便器
２ 給水管
３ フラッシュバルブ
４ 排水接続継手アダプタ
４ａ  排水接続継手アダプタの開口
５ 横引き排水管
５ａ 横引き排水管の流水路
６ 給水管接続部
７ 排水管接続部
１０ 便器本体
１１ ボール部
４１ 排水接続継手アダプタ
４１ａ 排水接続継手アダプタの上側の壁
４１ｂ 排水接続継手アダプタの下側の壁
５１ 壁面
５２ 排水接続継手アダプタ取付口（金属ベルトの先端部、横引き排水管と排水接続継手
アダプタとを接続する接続部）
５３  ベルト（横引き排水管と排水接続継手アダプタとを接続する接続部）
６１ シールリング
６３ シールリング
θ 角度（鋭角）
４１１ 排水接続継手アダプタの下流側端である一端（横引き排水管と排水接続継手アダ
プタとを接続する接続部）
４１２ リング形状体（排水接続継手アダプタの先端部、（横引き排水管と排水接続継手
アダプタとを接続する接続部））
４１３ 排水接続継手アダプタの上流側端である他端部
Ａ１  横引き排水管を上流側に向けて流れる排水
Ａ２  横引き排水管を下流側に向けて流れる排水
Ａ３  横引き排水管を下流に向けて流れる排水
Ａ４  金属ベルトの回動に併せて排水接続継手アダプタが回動する方向
Ｓ 排水接続継手アダプタの下流側端である一端の端面形状
Ｓ１ 横引き排水管の上流側端である一端の端面形状
Ｓ２ 横引き排水管の下流側端である一端の端面形状
Ｃ  排水接続継手アダプタの曲率中心
ｃ４ 排水接続継手アダプタの軸中心線
ｃ５ 横引き排水管の軸中心線
ｒ１  排水接続継手アダプタの曲率半径
ｒ２  排水接続継手アダプタの曲率半径
【図１】
0005967872.tif 000002
【図２】
0005967872.tif 000003
【図３】
0005967872.tif 000004
【図４】
0005967872.tif 000005
【図５】
0005967872.tif 000006
【図６】
0005967872.tif 000007